(57)【特許請求の範囲】
【請求項１】
液体を循環させる液体循環ポンプを備えて該液体循環ポンプの駆動により液体を循環させる液体循環通路と、該液体循環通路を循環する液体を加熱する加熱手段とを有する液体加熱循環回路を備え、バーナの排気潜熱を回収する潜熱回収用熱交換器を有し、前記液体循環通路にはシスターンタンクが設けられ、該シスターンタンク内には、前記潜熱回収用熱交換器で発生するドレンを中和するドレン中和器が前記液体を貯留する液体貯留室と区分けされて設けられて、前記ドレン中和器と前記シスターンタンクとが一体ユニットとして形成され、前記液体貯留室は前記液体循環通路に介設されて前記液体は前記液体貯留室を通して循環する構成と成し、前記一体ユニットには前記液体貯留室から溢れた液体のオーバーフロー室が設けられて該オーバーフロー室に前記ドレン中和器を通ったドレンが入り込む構成と成し、該ドレン中和器と前記液体貯留室との間には該液体貯留室内の液体から前記ドレン中和器内のドレンに熱が直接的に伝わることを防ぐための間隔が設けられており、前記オーバーフロー室から前記液体と前記ドレンが排出される液体排出部が設けられていることを特徴とする熱源装置。
【請求項２】
浴槽に接続されて浴槽水を循環させる機能を備えた追い焚き循環路を有し、液体排出部には該液体排出部から排出される液体とドレンを前記追い焚き循環路に導く管路が切り替え弁を介して前記追い焚き循環路に接続されており、前記追い焚き循環路には前記管路から追い焚き循環路に導入される液体とドレンとを前記浴槽に入れずに浴室に排出する排出管路が三方弁を介して設けられていることを特徴とする請求項１記載の熱源装置。
【請求項３】
液体を循環させる液体循環ポンプを備えて該液体循環ポンプの駆動により液体を循環させる液体循環通路と、該液体循環通路を循環する液体を加熱する加熱手段とを有する液体加熱循環回路を備え、バーナの排気潜熱を回収する潜熱回収用熱交換器を有し、前記液体循環通路にはシスターンタンクが設けられ、該シスターンタンク内には、前記潜熱回収用熱交換器で発生するドレンを中和するドレン中和器が前記液体を貯留する液体貯留室と区分けされて設けられて、前記ドレン中和器と前記シスターンタンクとが一体ユニットとして形成され、前記液体貯留室は前記液体循環通路に介設されて前記液体は前記液体貯留室を通して循環する構成と成し、該液体貯留室と前記ドレン中和器との間には該液体貯留室内の液体から前記ドレン中和器内のドレンに熱が直接的に伝わることを防ぐための間隔が設けられ、該間隔はそれぞれ独立的に設けられた前記ドレン中和器を構成する壁部と前記液体貯留室を構成する壁部との間に設けられて該ドレン中和器の壁部と前記液体貯留室の壁部が直接的に非接触の状態の間隔と成しており、前記液体貯留室から溢れた液体を排出する液体排出部と、前記ドレン中和器を通ったドレンが排出されるドレン排出部とが別々に設けられていることを特徴とする熱源装置。
【請求項４】
浴槽に接続されて浴槽水を循環させる機能を備えた追い焚き循環路を有し、ドレン排出部には該ドレン排出部から排出されるドレンを前記追い焚き循環路に導く管路が切り替え弁を介して前記追い焚き循環路に接続されており、前記追い焚き循環路には前記管路から追い焚き循環路に導入されるドレンを前記浴槽に入れずに浴室に排出する排出管路が三方弁を介して設けられていることを特徴とする請求項３記載の熱源装置。
【発明の詳細な説明】
【技術分野】
【０００１】
本発明は、液体循環通路を循環する液体を加熱する機能を備えて、例えば加熱された液体を温水マット等に供給できる熱源装置に関するものである。
【背景技術】
【０００２】
図７には、熱源装置のシステム構成例が示されている。同図において、器具ケース４２内には燃焼室２４，２５が設けられており、燃焼室２４内には、暖房用熱交換器２８（２８ａ，２８ｂ）と、暖房用熱交換器２８を通る液体を加熱する加熱手段としての暖房用バーナ１６と、暖房用バーナ１６の燃焼の給排気を行なう燃焼ファン１８とが設けられている。また、燃焼室２５内には、給湯バーナ１７と、給湯バーナ１７により加熱される給湯熱交換器２９（２９ａ，２９ｂ）と、給湯バーナ１７の燃焼の給排気を行なう燃焼ファン１９とが設けられている。熱交換器２８ｂ、２９ｂは排気ガス中の顕熱を回収する一次熱交換器であり、熱交換器２８ａ、２９ａは排気ガス中の潜熱を回収する潜熱回収用熱交換器の二次熱交換器である。
【０００３】
暖房用バーナ１６および給湯バーナ１７には、それぞれのバーナ１６，１７に燃料を供給する供給通路としてのガス管３１，３２が接続されている。ガス管３１，３２は、ガス管３０から分岐形成されており、ガス管３０には、元電磁弁８０が介設されている。また、給湯バーナ１７および暖房用バーナ１６は、それぞれ複数段の燃焼面を持ち、暖房用バーナ１６の各燃焼面に供給される燃料の量が、ガス管３１に介設された比例弁８６の開弁量と電磁弁８１，８２の開閉制御（燃料の供給や停止）により調節され、給湯バーナ１７の各燃焼面に供給される燃料の量が、ガス管３２に介設された比例弁８７の開弁量と電磁弁８３，８４，８５の開閉制御（燃料の供給や停止）により調節される。
【０００４】
前記暖房用熱交換器２８（２８ａ，２８ｂ）は、シスターンタンク１００と液体循環ポンプ６とを備えた液体循環通路５に介設されており、液体循環通路５は、器具ケース４２内に設けられた管路８９，９０，９１，９２，９３，９４，９５，９６，９７，９８，９９と、器具ケース４２の外部に設けられた外部通路の管路４０，４１，４４，４５，５９とを有し、管路９８には低温能力切り替え熱動弁４７が介設されている。液体循環通路５と暖房用熱交換器２８を有して、加熱された液体を循環する液体加熱循環回路が形成されている。
【０００５】
液体循環通路５は、液体循環ポンプ６の駆動によって、液体（例えば温水）を、温水マット１０と、例えば浴室暖房機等の高温暖房装置１０６とに循環させる。高温暖房装置１０６には内部通路５１が設けられ、内部通路５１には熱動弁１１２が介設されている。内部通路５１は管路４０を介して管路９７に接続され、管路４１と液体合流手段１１５とを介して管路５９に接続されている。
【０００６】
液体循環ポンプ６の吐出側の通路は、管路９０と管路９１とに分岐されており、その一方の管路９１は液体循環通路５を循環する液体の加熱用の暖房用熱交換器２８ｂ側に液体を導入し、他方の管路９０は、温水マット１０に液体を供給する。暖房用熱交換器２８ｂの入側の管路９１には、暖房用熱交換器２８ｂに導入される液体の温度を検出する暖房低温サーミスタ３６が設けられている。暖房用熱交換器２８ｂの出側には管路９２が設けられており、管路９２には暖房用熱交換器２８ｂを通って導出される液体の温度を検出する熱交換器出側温度検出手段としての暖房高温サーミスタ３３が設けられている。
【０００７】
また、管路９０には液体分岐手段３７が設けられており、液体分岐手段３７を介して管路９０が管路４５に接続され、管路４５に温水マット１０の入水側が接続されている。温水マット１０には内部通路５２が形成され、温水マット１０の出水側は管路４４と液体合流手段１１５と管路５９と介して管路９５に接続されている。
【０００８】
管路９５は、暖房用熱交換器２８ａの液体導入側に接続され、暖房用熱交換器２８ａの液体導出側には管路９４が接続されている。また、液体循環ポンプ６の吸入口側には前記管路９３が接続されており、管路９３と管路９４との間に前記シスターンタンク１００が介設されている。シスターンタンク１００の一部は大気開放と成しており、また、シスターンタンク１００には、例えば液体の体積膨張等によってシスターンタンク１００から溢れた液体のオーバーフロー通路５３が接続されて、オーバーフロー通路５３の先端部は熱源装置の外部（排水口等）に導かれている。
【０００９】
前記給湯熱交換器２９ａの下側には、ドレン回収手段（ドレン受け部）３９が設けられ、このドレン回収手段３９によって回収されるドレンは、ドレン排出通路７５を通してドレン中和器７６に導入され、ドレン中和器７６で中和された後に、ドレン排出通路７７を通って熱源装置の外部（ドレン排出通路７７の先端部が接続されている排水口等）に導かれる。
【００１０】
なお、図７に示すシステム構成図においては、ドレン中和器７６とシスターンタンク１００とは離れた位置に設けられているように示されているが、例えば図８に示す斜視図のように、ドレン中和器７６とシスターンタンク１００とを近い位置に配設した熱源装置も提案されている。このような熱源装置において、シスターンタンク１００に接続されているオーバーフロー通路５３にジョイント１１０を介し、ドレン中和器７７で中和されたドレンを通すドレン排出通路７７を接続することが行われている。
【００１１】
図７に示されるように、前記給湯熱交換器２９ａの入口側には給水通路８８が設けられており、給水通路８８には、給水通路８８を流れる湯水の量を検出することにより給湯の水量を検出する流量検出手段７３と入水温度を検出する入水温度センサ７４と、給湯流量を可変するため水量サーボ６９が設けられている。また、給水通路８８には、接続通路５７と補給水電磁弁４６を介して、前記液体循環通路５が接続されている。給湯熱交換器２９ｂの出口側には給湯通路２６が設けられており、給湯通路２６の先端側は、適宜の給湯先に導かれている。
【００１２】
また、給湯通路２６と給水通路８８とを、給湯交換器２９を介さずに接続するバイパス通路７０が設けられ、バイパス通路７０の給水通路８８との接続部には、バイパス流量弁としてのバイパスサーボ５８が設けられている。給湯通路２６には、バイパス通路７０の形成部よりも下流側に出湯湯温検出センサ１１３が設けられ、給湯熱交換器２９側に出湯湯温検出センサ１１４が設けられている。
【００１３】
浴槽２７には、往管１４と戻り管１５を有する追い焚き循環路１３が接続されており、この追い焚き循環路１３は、熱交換器７を介して前記液体循環通路５と熱的に接続されている。熱交換器７は追い焚き循環路１３と液体循環通路５の管路８９との液―液熱交換器により形成された浴槽湯水追い焚き用の熱交換器であり、管路８９の熱交換器７への入口側には流量制御弁３８が設けられている。追い焚き循環路１３には、浴槽湯水を循環させる浴槽湯水循環ポンプ２０が設けられ、熱交換器７は浴槽湯水循環ポンプ２０の駆動によって追い焚き循環路１３を循環し、液体循環通路５を通る液体との熱交換によって浴槽湯水を加熱する構成と成している。
【００１４】
また、追い焚き循環路１３には、浴槽湯水の温度を検出する風呂温度センサ２１と、浴槽湯水の水位を検出する水位センサ２２と、追い焚き循環路１３の水流を検知する風呂水流スイッチ３４とが介設されている。浴槽湯水循環ポンプ２０の吸入口側に、戻り管１５の一端側が接続され、戻り管１５の他端側が循環金具５６を介して浴槽２７に連通接続されている。浴槽湯水循環ポンプ２０の吐出口側には、往管１４の一端側が接続され、往管１４の他端側は循環金具５６を介して浴槽２７に連通接続されている。
【００１５】
前記給湯通路２６には、分岐通路７０の形成部および出湯湯温検出センサ１１３の配設部よりも下流側に、管路５４を介して注湯水ユニット５５が接続されており、注湯水ユニット５５には風呂用注湯導入通路２３の一端側が接続され、風呂用注湯導入通路２３の他端側は、前記浴槽湯水循環ポンプ２０に接続されている。注湯水ユニット５５には、湯張り電磁弁４８、湯張り水量センサ４９、逆止弁５０ａ，５０ｂが設けられている。なお、給湯熱交換器２９から給湯通路２６と管路５４、注湯水ユニット５５、風呂用注湯導入通路２３、浴槽湯水循環ポンプ２０、熱交換器７、往管１４を順に通って浴槽２７に至るまでの通路によって、湯張りや注水を行うための湯張り注水通路が構成されている。
【００１６】
図７に示されるような熱源装置において、例えば、高温暖房装置１０６の暖房運転を行うときと浴槽湯水の追い焚き運転を行うときは、暖房用バーナ１６によって暖房用熱交換器２８を加熱して、暖房用液体循環通路５に通す液体の温度を予め定められる高温設定温度（例えば８０℃）とし、高温暖房装置１０６の暖房運転を行うときには、この液体を、液体循環ポンプ６の駆動により、図７の矢印Ａ〜Ｆに示すように液体を循環させる。このとき、図８の矢印Ｄ、Ｅに示すように、シスターン１００を通して液体が循環する。
【００１７】
また、この状態で、浴槽湯水の追い焚き運転を行うときは、管路９２を通った液体を、図７の矢印Ｂに示すように管路９７に通すと共に、流量制御弁３８を開くことにより、矢印Ｂ’に示すように管路８９側にも通し、管路８９側（熱交換器７側）に流れた液体を、管路９６を通して管路９５に戻るようにしながら、浴槽湯水循環ポンプ２０を駆動させて、浴槽湯水を図７の矢印Ｈに示すように循環させ、熱交換器７（液−液熱交換器）を介しての、液体循環通路５を通る液体と追い焚き循環路１３を通る浴槽湯水との熱交換によって、浴槽２７内の湯水の温度（風呂温度センサ２１の検出温度）が風呂設定温度となるまで、浴槽湯水の追い焚き運転を行う。
【００１８】
また、高温暖房装置１０６の暖房運転を行わずに、浴槽湯水の追い焚き運転のみを行うときには、高温暖房装置１０６の熱動弁１１２が閉じられているので、暖房用熱交換器２８ｂで加熱した高温設定温度の液体（例えば８０℃の液体）を、矢印Ａに示すように、管路９２に通した後、管路９７には通さずに、図７の矢印Ｂ’に示すように、管路８９側に通す。そして、前記と同様に、この液体と浴槽湯水とを、熱交換器７を介して熱交換することにより浴槽２７内の湯水の追い焚き運転を行う。
【００１９】
また、高温暖房装置１０６の加熱や浴槽湯水の追い焚きを行わずに温水マット１０のみを加熱するときには、管路内が温められるまでの間に行われるホットダッシュ運転を除き、液体循環通路５の液体を暖房用バーナ１６で加熱して、液体循環通路５に通す液体を高温設定温度よりも低い予め定められる低温設定温度（例えば６０℃）として、図７の矢印Ｃ，Ｄ，Ｅ，Ｆに示すように循環させる。そして、低温能力切替熱動弁４７を開くことによって、管路９２を通った液体を図の矢印Ａ’に示すように管路９８に導入し、シスターン１００側から液体循環ポンプ６側に向けて図の矢印Ｅに示すように通る液体と共に、液体循環ポンプ６を介し、図の矢印Ｇに示すように、液体を管路９０，４５に順に通して温水マット１０に導入する。温水マット１０を通った液体は、管路４４、液体合流手段１１５を介して管路９５に戻す。
【００２０】
なお、前記ホットダッシュ運転時には、例えば暖房用熱交換器２８ｂから出る液体の温度を暖房高温サーミスタ３３で測定し、その検出温度が約８０℃となるようにしながら、前記低温暖房パタンにて液体を循環させる。そうすると、温水マット１０から戻ってきた液体が、管路４４、９５を通り、さらに、矢印Ｄに示したように管路９４を通ってシスターン１００に戻るときに、暖房用熱交換器２８ｂから出て管路９２を通った液体が図７の矢印Ａ’に示すように管路９８を介して管路９４に混合されて、液体の温度が８０℃より低くなり、シスターン１００を通って液体循環ポンプ６を介し、温水マット１０に送られるときには７０℃程度の液体となる。
【先行技術文献】
【特許文献】
【００２１】
【特許文献１】特許第３１５３３６１号公報
【発明の概要】
【発明が解決しようとする課題】
【００２２】
ところで、熱源装置の器具ケース４２は、通常、屋外に設置されるものであるため、器具ケース４２内のドレン中和器７６内に貯留されたドレンが冬季に凍結しないように、寒冷時の凍結予防が必要となり、従来は、ドレン中和器７６の外周部に電気ヒータを設けてドレンの凍結防止を行っていた。しかしながら、電気ヒータにより凍結予防を行うためには、電気ヒータに通電するために多くの電力が必要となり、その電気代は高く、また、エネルギ消費量も大きくなってしまうといった問題があった。
【００２３】
また、熱源装置には、ドレン中和器７６を設けてドレンを排水口に導くための配管と、シスターンタンク１００を設けてシスターンタンク１００から溢れた液体を排水口に導くための配管とを設けなければならないため、例えば図８に示したように、器具ケース４２内に多くのホースやパイプを配設して接続することが必要となり、部品点数や組み立て工数の増加の要因となり、熱源装置のコストアップにもつながるといった問題もあった。
【００２４】
本発明は、上記課題を解決するためになされたものであり、その目的は、熱源装置内に設けられるドレン中和器の凍結防止を電気ヒータ無しでも行うことができ、ドレン中和器とシスターンタンクに接続される配管構成を簡略化でき、それにより、コストダウン可能な熱源装置を提供することにある。
【課題を解決するための手段】
【００２５】
本発明は上記目的を達成するために、次の構成をもって課題を解決する手段としている。すなわち、第１の発明は、液体を循環させる液体循環ポンプを備えて該液体循環ポンプの駆動により液体を循環させる液体循環通路と、該液体循環通路を循環する液体を加熱する加熱手段とを有する液体加熱循環回路を備え、バーナの排気潜熱を回収する潜熱回収用熱交換器を有し、前記液体循環通路にはシスターンタンクが設けられ、該シスターンタンク内には、前記潜熱回収用熱交換器で発生するドレンを中和するドレン中和器が前記液体を貯留する液体貯留室と区分けされて設けられて、前記ドレン中和器と前記シスターンタンクとが一体ユニットとして形成され、前記液体貯留室は前記液体循環通路に介設されて前記液体は前記液体貯留室を通して循環する構成と成し、前記一体ユニットには前記液体貯留室から溢れた液体のオーバーフロー室が設けられて該オーバーフロー室に前記ドレン中和器を通ったドレンが入り込む構成と成し、該ドレン中和器と前記液体貯留室との間には該液体貯留室内の液体から前記ドレン中和器内のドレンに熱が直接的に伝わることを防ぐための間隔が設けられており、前記オーバーフロー室から前記液体と前記ドレンが排出される液体排出部が設けられている構成をもって課題を解決する手段としている。
【００２６】
また、第２の発明は、前記第１の発明の構成に加え、前記浴槽に接続されて浴槽水を循環させる機能を備えた追い焚き循環路を有し、液体排出部には該液体排出部から排出される液体とドレンを前記追い焚き循環路に導く管路が切り替え弁を介して前記追い焚き循環路に接続されており、前記追い焚き循環路には前記管路から追い焚き循環路に導入される液体とドレンとを前記浴槽に入れずに浴室に排出する排出管路が三方弁を介して設けられていることを特徴とする。
【００２７】
さらに、第３の発明は、液体を循環させる液体循環ポンプを備えて該液体循環ポンプの駆動により液体を循環させる液体循環通路と、該液体循環通路を循環する液体を加熱する加熱手段とを有する液体加熱循環回路を備え、バーナの排気潜熱を回収する潜熱回収用熱交換器を有し、前記液体循環通路にはシスターンタンクが設けられ、該シスターンタンク内には、前記潜熱回収用熱交換器で発生するドレンを中和するドレン中和器が前記液体を貯留する液体貯留室と区分けされて設けられて、前記ドレン中和器と前記シスターンタンクとが一体ユニットとして形成され、前記液体貯留室は前記液体循環通路に介設されて前記液体は前記液体貯留室を通して循環する構成と成し、該液体貯留室と前記ドレン中和器との間には該液体貯留室内の液体から前記ドレン中和器内のドレンに熱が直接的に伝わることを防ぐための間隔が設けられ、該間隔はそれぞれ独立的に設けられた前記ドレン中和器を構成する壁部と前記液体貯留室を構成する壁部との間に設けられて該ドレン中和器の壁部と前記液体貯留室の壁部が直接的に非接触の状態の間隔と成しており、前記液体貯留室から溢れた液体を排出する液体排出部と、前記ドレン中和器を通ったドレンが排出されるドレン排出部とが別々に設けられている構成をもって課題を解決する手段としている。
【００２８】
さらに、第４の発明は、前記第３の発明の構成に加え、前記浴槽に接続されて浴槽水を循環させる機能を備えた追い焚き循環路を有し、ドレン排出部には該ドレン排出部から排出されるドレンを前記追い焚き循環路に導く管路が切り替え弁を介して前記追い焚き循環路に接続されており、前記追い焚き循環路には前記管路から追い焚き循環路に導入されるドレンを前記浴槽に入れずに浴室に排出する排出管路が三方弁を介して設けられていることを特徴とする。
【発明の効果】
【００２９】
本発明によれば、液体を循環させながら加熱する液体循環通路にはシスターンタンクが設けられているが、該シスターンタンク内には、潜熱回収用熱交換器で発生するドレンを中和するドレン中和器が、シスターンタンクに通される液体を貯留する液体の貯留室と区分けされて設けられており、ドレン中和器とシスターンタンクとが一体ユニットとして形成されているので、液体貯留室に貯留される液体によってドレン中和器を温めることができ、電気ヒータによってドレン中和器の凍結防止を行う構成に比べ、電気代を削減できる。
【００３０】
なお、ドレン中和器のドレンを温めるための熱は、ドレンの凍結防止が行える程度の熱であればよく、それ以上の熱がドレンに伝えられると熱の無駄につながるが、本発明によれば、ドレン中和器と前記液体貯留室との間に、該液体貯留室内の液体から前記ドレン中和器内のドレンに熱が直接的に伝わることを防ぐための間隔を設けることにより、液体貯留室の液体の熱によってドレン中和器のドレンを過剰に温めることが抑制され、熱を無駄にすることを抑制できる。つまり、液体循環通路を循環する液体の熱がドレン側に過剰に伝えられて、液体の温度が低くなってしまうと、その液体を加熱するための熱が多く必要となるが、ドレン中和器と前記液体貯留室との間に前記間隔を設けることにより、液体からドレンへの熱伝達は適度に行われるために、そのような無駄を省くことができる。
【００３１】
また、シスターンタンクとドレン中和器との一体ユニットにすることによって、この一体ユニットを、潜熱回収用熱交換器からドレンを回収する手段と液体循環通路と、液体やドレンの排出口等の排出部とに接続すればよいため、熱源装置内の配管構成を簡略化でき、その分だけ、部品点数や組み立て工数を少なくできてコストダウンを図ることができる。
【００３２】
さらに、液体貯留室から溢れた液体のオーバーフロー室を設けて、該オーバーフロー室にドレン中和器を通ったドレンが入り込む構成と成し、該オーバーフロー室から前記液体と前記ドレンが排出される液体排出部を設けることにより、液体排出部から液体とドレンの両方を排出することができるので、液体排出部と液体およびドレンの排出口等の排出部とを接続する配管を１本として配管構造をより簡略化できる。
【００３３】
さらに、浴槽に接続されて浴槽水を循環させる機能を備えた追い焚き循環路を設け、ドレン中和器とシスターンタンクとの一体ユニットから排出されるドレンや液体を管路と切り替え弁とを介して追い焚き循環路に導出する構成とすることにより、追い焚き循環路と追い焚き循環路に接続された排出通路とを介して、液体やドレンを浴室に排出することができるので、例えばマンション等の集合住宅において、ドレン等を熱源装置からベランダ等の共用部分に排出することが好ましくない場合でも、ドレン等の排出を支障なく行うことができる。
【図面の簡単な説明】
【００３４】
【図１】本発明に係る熱源装置の一実施例に設けられているシスターンタンクとドレン中和器との一体ユニットの構成およびその接続構成を示す模式的な斜視図である。
【図２】本発明に係る熱源装置に設けられるシスターンタンクとドレン中和器との一体ユニットの構成例を、その一体ユニットの上面部位を除いて示す模式的な斜視図（ａ）と断面図（ｂ）である。
【図３】熱源装置の一実施例のシステム構成と、その動作例を模式的に示す説明図である。
【図４】熱源装置の他の実施例におけるシステム構成例の一部構成を示す説明図である。
【図５】熱源装置のさらに他の実施例に設けられるシスターンタンクの構成例を示す模式的な断面説明図である。
【図６】熱源装置のさらにまた他の実施例に設けられるシスターンタンクの構成例およびその接続構成を示す模式的な斜視図である。
【図７】熱源装置のシステム構成例と、その動作例を模式的に示す説明図である。
【図８】従来の熱源装置に設けられているシスターンタンクとドレン中和器の外観構成および配管接続構成の例を模式的に示す説明図である。
【発明を実施するための形態】
【００３５】
以下、本発明の実施の形態を図面に基づき説明する。
【実施例】
【００３６】
図３には、本発明に係る熱源装置のシステム構成が示されている。なお、本実施例の熱源装置のシステム構成は、図７に示した熱源装置とほぼ同様に構成されているが、本実施例では、従来、別々に設けられていたシスターンタンク１００とドレン中和器７６とを、図１に示すような一体ユニット１２のシスターンタンク１００として形成し、構成の簡略化と省エネルギ化および低コスト化とを図るようにしている。つまり、本実施例では、図１〜図３に示されるように、液体循環通路５に設けられたシスターンタンク１００内に、潜熱回収用の熱交換器２８ａ，２９ａで発生するドレンを中和するドレン中和剤（図示せず）が充填されたドレン中和器７６が設けられている。
【００３７】
また、図１、図２に示されるように、ドレン中和器７６はシスターンタンク１００に導入される液体（液体循環通路５を循環する液体）を貯留する液体貯留室２と左右（図のＸ方向）に区分けされて設けられて、シスターンタンク１００がドレン中和器７６との一体ユニット１２として形成されている。また、ドレン中和器７６と液体貯留室２との間には、液体貯留室２内の液体からドレン中和器７６内のドレンに熱が直接的に伝わることを防ぐための間隔３が設けられている。ドレン中和器７６には、その上端部から下端側に伸設された仕切り壁１０１（図１には図示せず）が設けられており、仕切り壁１０１の下端がドレン中和器７６の底面と間隔を介しており、ドレンは、この間隔を通って、図２の矢印Ｄｏに示すように流れる。
【００３８】
なお、このシスターン１００において、液体循環通路５を循環する液体は、図１、図２の矢印Ｄに示されるように、液体循環通路５の管路９４から液体貯留室２に導入され、矢印Ｅに示されるように、液体貯留室２から液体循環通路５の管路９３に導出されるように構成されている。つまり、液体貯留室２が液体循環通路５に介設され、液体が液体貯留室２を通して液体循環通路５を循環する構成と成している。
【００３９】
また、一体ユニット１２には、例えば図２の矢印Ｌに示すようにして液体貯留室２から溢れた液体が流れ込むオーバーフロー室４が設けられており、オーバーフロー室４と液体貯留室２との間の壁の上端部は、液体貯留室２とドレン中和器７６との間の壁よりも高さが低く形成されている。オーバーフロー室４はドレン中和器７６とも隣接しており、オーバーフロー室４とドレン中和器７６との間の壁も液体貯留室２とドレン中和器７６との間の壁よりも高さが低く形成されて、ドレン中和器７６を通ったドレンが、矢印Ｄｏに示すようにオーバーフロー室４に入り込む構成と成している。
【００４０】
さらに、一体ユニット１２には、オーバーフロー室４から前記液体と前記ドレンが排出される液体排出部９が設けられており、液体排出部９にはオーバーフロー管５３（液体とドレンの排出の管路）が接続されている。オーバーフロー管５３は、例えば熱源装置の外部の排水口に接続されている。
【００４１】
なお、本発明は、前記実施例に限定されるものでなく適宜設定されるものである。例えば、図４に示すように、液体排出部９から排出される液体とドレンを追い焚き循環路１３に導くオーバーフロー管５３を、切り替え弁１０４を介して追い焚き循環路１３に接続してもよい。この場合、液体循環通路５を循環する液体が水の場合には、オーバーフロー管５３と追い焚き循環路１３とを介して液体やドレンを浴槽５６に排出してもよく、液体やドレンの排出を行った後に、追い焚き循環路１３に水（温水でも加熱されていない水でも可）を流し、配管の洗浄を行ってもよい。
【００４２】
また、液体を不凍液等の液体とする場合には、図４に示されるように、追い焚き循環路１３に、オーバーフロー管５３から追い焚き循環路１３に導入される液体とドレンとを浴槽２７に入れずに浴室に排出する排出管路１０２を、三方弁１０３を介して設けるようにする。このようにすると、たとえ浴槽５６の栓が抜かれていなかった場合でも、矢印に示すように、排出管路１０２を介して液体を浴室に排出することによって、ドレンや不凍液等の液体が浴槽５６内に導入されることを防ぐことができる。なお、前記液体が水の場合もこの構成は適用できる。
【００４３】
さらに、前記実施例では、シスターンタンク１００の液体貯留室２とドレン中和器７６とを左右（図２のＸ方向）に区分けして配設したが、液体貯留室２とドレン中和器７６との配設態様は特に限定されるものでなく、適宜設定されるものであり、液体貯留室２とドレン中和器７６とが区分けされて配設され、かつ、液体貯留室２とドレン中和器７６との間に、液体貯留室２からドレン中和器７６に熱が直接的に伝わることを防ぐための間隙３を設ければよい。
【００４４】
つまり、例えば図５（ａ）、（ｂ）に示すように、液体貯留室２とドレン中和器７６とを上下（図のＺ方向）に区分けして配設してもよいし、図５（ｃ）に示すように、液体貯留室２でドレン中和器７６を囲む態様で、両者を区分けして配設してもよいし、その逆に、図５（ｄ）に示すように、液体貯留室２をドレン中和器７６で囲む態様で、両者を区分けして配設してもよい。なお、図５において、矢印Ｄｏはドレンの流れを示しており、矢印Ｌは液体の流れを示している。
【００４５】
さらに、前記実施例では、シスターンタンク１００内（一体ユニット１２）にオーバーフロー室４を設けたが、オーバーフロー室４を設けずに、図６に示すように、液体貯留室２から溢れた液体を排出する液体排出部９と、ドレン中和器７６を通ったドレンを排出するドレン排出部１０５とを別々に設けてもよい。
【００４６】
このように構成した場合には、ドレン排出部１０５に、図６の破線部に示すように、ドレン排出部１０５から排出されるドレンを追い焚き循環路１３に導く管路（ドレン排出通路）７７を、切り替え弁１０４を介して追い焚き循環路１３に接続することにより、ドレンを追い焚き循環路１３を介して排出できる。また、この場合も、図４に示した構成と同様に、追い焚き循環路１３に三方弁１０３を介して排出管路１０２を接続し、ドレン排出通路７７から追い焚き循環路１３に導入されるドレンを浴槽５６に入れずに浴室に排出するように構成することができる。なお、図６の破線Ａに示すように、ドレン排出通路７７をオーバーフロー管５３と合流するように接続してもよい。
【００４７】
さらに、前記実施例では、給湯機能と風呂の追い焚き機能と暖房機能とを備えた複合装置としたが、給湯機能や追い焚き機能を有していない装置としてもよい。
【００４８】
さらに、本発明の熱源装置は、例えば前記実施例で設けたガス燃焼を行うバーナの代わりに、石油燃焼用のバーナを設けてもよい。また、液体循環通路５内に循環させる液体は、水とは限らず、例えば不凍液等の他の液体としてもよい。
【００４９】
さらに、本発明の熱源装置の液体循環通路に接続される装置は温水マット１０や高温暖房機とは限らず、適宜の暖房装置等の装置が接続されるものである。また、液体循環通路には、暖房装置以外の、例えば浴室乾燥装置や太陽光の熱を集熱する集熱機等を接続して熱源装置を形成してもよい。
【産業上の利用可能性】
【００５０】
本発明の熱源装置は、ドレン中和器の凍結防止用の電気ヒータが不要であり、シスターンタンクとドレン中和器の配設構成が簡単で低コスト化を図れるので、例えば家庭用の熱源装置として利用できる。
【符号の説明】
【００５１】
１                熱源装置
２                液体貯留室
３                間隙
４                オーバーフロー室
５                液体循環通路
６                液体循環ポンプ
９                液体排出部
１０              温水マット
１２              一体ユニット
１３              追い焚き循環路
１６              暖房用バーナ
５３              オーバーフロー管
７６              ドレン中和器
７７              ドレン排出通路
１００            シスターンタンク
１０３            三方弁
１０４            切り替え弁
【図１】
0005988704.tif 000002
【図２】
0005988704.tif 000003
【図３】
0005988704.tif 000004
【図４】
0005988704.tif 000005
【図５】
0005988704.tif 000006
【図６】
0005988704.tif 000007
【図７】
0005988704.tif 000008
【図８】
0005988704.tif 000009